【事件の表示】
　特願２０００−　８５５０５「情報処理装置、及び外部機器接続方法」拒絶査定不服審判事件〔平成１３年１０月　５日出願公開、特開２００１−２７３２４１〕について、次のとおり審決する。
【結　論】
　本件審判の請求は、成り立たない。
【理　由】
１．手続の経緯
　本願は、平成１２年３月２７日の出願であって、平成１５年９月５日付けで拒絶査定がなされ、これに対し、平成１５年１０月９日に拒絶査定に対する審判請求がなされ、当審において平成１８年５月１０日付けで拒絶理由通知がなされ、平成１８年７月１８日付けで手続補正がなされたものである。
　
２．本願発明
　本願の請求項１に係る発明（以下、「本願発明」という。）は、以下のとおりのものである。
「内部にコネクタが配設されたＰＣカードスロットを備えた情報処理装置において、
　前記コネクタを介してＰＣカードとの間で信号の入出力を行うＰＣカード信号入出力手段と、
　前記コネクタとカード型アダプタを介して前記ＰＣカードと異なる種類の外部機器との間で信号の入出力を行う少なくとも一つの外部機器信号入出力手段と、
　前記ＰＣカード、及び前記カード型アダプタの何れかが前記ＰＣカードスロット内に挿入された際出力する出力信号に基づいて前記ＰＣカード、及び前記カード型アダプタの何れが前記コネクタと接続されたか判別する種類判別手段と、
　前記種類判別手段が種類を判別したカードが前記ＰＣカードであれば前記コネクタを前記ＰＣカード信号入出力手段と接続し、前記コネクタを介して前記ＰＣカードと前記ＰＣカード信号入出力手段との間で信号の入出力を行わせ、前記種類判別手段が種類を判別した該カードがアダプタとして機能するカード型アダプタであれば該コネクタ、および、前記カード型アダプタとを介して前記外部機器と前記外部機器信号入出力手段との間で信号の入出力を行わせるよう接続する接続切換手段と、
　を具備したことを特徴とする情報処理装置。」
　　
３．引用例に記載された発明
　当審で通知した拒絶の理由に引用された特開平９−２３７１４１号公報（以下、引用例１という。）には、図面とともに以下の記載がある。
　
（イ）「【請求項１】  システム本体の拡張コネクタに少なくとも第１及び第２の拡張ユニットを接続可能であり、前記システム本体と前記拡張ユニットとの間でインターフェース信号の入出力制御を行なうコンピュータシステムであって、
前記拡張コネクタに接続された拡張ユニットの種類を判別する判別手段と、
前記判別手段の判別結果に応じて、前記インターフェース信号の入出力を行なうためのバス信号線の切換えを行なうバス切換え手段と、
前記バス切換え手段により設定されたバス信号線に接続された前記拡張コネクタと前記システム本体間のインターフェース信号の入出力制御を行なうためのコントローラ群であって、前記各拡張ユニットの種類に応じてそれぞれ設けられた少なくとも第１及び第２のコントローラ手段とを具備したことを特徴とするコンピュータシステム。」
（第２頁左欄第２行−第１８行）
　
（ロ）「【０００１】
【発明の属する技術分野】本発明は、例えばＰＣカードスロット等の拡張機能ユニットを接続できるコンピュータシステムに適用するインターフェース装置に関する。」
（第２頁右欄第１８行−第２１行）
　
（ハ）「【００１０】
【発明の実施の形態】以下図面を参照して本発明の実施の形態を説明する。図１は第１の実施形態に関係するコンピュータシステムの要部を示すブロック図であり、図２は第１の実施形態に関係するＩ／Ｏコントローラの構成を示すブロック図であり、図３は第１の実施形態に関係する動作を説明するためのフローチャートである。
（コンピュータのシステム構成）本実施形態のコンピュータシステムは、携帯型の小型パーソナルコンピュータを想定しており、複数種の拡張機能ユニットを使用するためのインターフェース装置を備えたものである。
【００１１】システム本体（コンピュータ本体）１には、図１に示すように、ＣＰＵ２、Ｉ／Ｏコントローラ３、メインメモリ４、表示コントローラ５、液晶ディスプレイ（ＬＣＤ）６、ビデオＲＡＭ（ＶＲＡＭ）７、および拡張コネクタ８が設けられている。Ｉ／Ｏコントローラ３と拡張コネクタ８は、本実施形態に関係するインターフェース装置の構成要素である。
【００１２】拡張コネクタ８は、拡張機能ユニットの専用コネクタと接続し、拡張機能ユニットとシステム本体１のＩ／Ｏコントローラ３とを接続するための本体側コネクタである。本実施形態では、拡張機能ユニットとして、ＰＣカードアダプタ（スロット）１０とＩ／Ｏアダプタ（ポート）１１の２種類を想定する。
【００１３】ここで、ＰＣカードアダプタ１０の外観は、図８（Ａ）に示すような構造である。なお、同図（Ｂ）は正面図、同図（Ｃ）は右側面図、同図（Ｄ）は平面図、同図（Ｅ）は背面図、同図（Ｆ）は左側面図、同図（Ｇ）は底面図である。また、Ｉ／Ｏアダプタ１１の外観は図４と図５に示すような構造である。
【００１４】ＰＣカードアダプタ１０は、ＰＣカードのコネクタ部と接続するための専用のＰＣカードコネクタ１０Ａおよび判別信号ＡＩ（論理レベル“Ｈ”）を出力するための判別回路１０Ｂを有する。一方、Ｉ／Ｏアダプタ１１は、プリンタポートとシリアル通信用ポート（例えばＲＳ２３２Ｃ方式）とを一体化したものに相当し、それぞれの専用コネクタであるＰＲＴコネクタ１１Ａとシリアル通信用コネクタ１１Ｂとを有する。また、判別信号ＡＩ（論理レベル“Ｌ”）を出力するための判別回路１１Ｃを有する。
【００１５】拡張コネクタ８は、ＰＣカードアダプタ１０とＩ／Ｏアダプタ１１のいずれかと接続し、同時に両方と接続することはできない。即ち、拡張コネクタ８は、ＰＣカードアダプタ１０のＰＣカードバス、およびＩ／Ｏアダプタ１１のプリンタパラレルバスとシリアルバス（ＲＳ２３２Ｃ方式）のそれぞれと本体側の共用バス９とを接続する。
（Ｉ／Ｏコントローラの構成）Ｉ／Ｏコントローラ３は、図２に示すように、ＰＣカードアダプタ１０とＩ／Ｏアダプタ１１のそれぞれの拡張機能に対応するＰＣカードコントローラ２２、ＰＲＴ（プリンタ）コントローラ２３、シリアルコントローラ２４を有する。ＰＣカードコントローラ２２は、拡張コネクタ８に接続されたＰＣカードアダプタ１０とシステム本体１間のインターフェース信号の入出力制御を行なう。同様に、ＰＲＴコントローラ２３は、拡張コネクタ８に接続されたＩ／Ｏアダプタ１１のＰＲＴコネクタ１１Ａとシステム本体１間のインターフェース信号の入出力制御を行なう。さらに、シリアルコントローラ２４は、拡張コネクタ８に接続されたＩ／Ｏアダプタ１１のシリアル通信用コネクタ１１Ｂとシステム本体１間のインターフェース信号の入出力制御を行なう。
【００１６】各コントローラ２２〜２４は、ＩＳＡ（ｉｎｄｕｓｔｒｙ  ｓｔａｎｄａｒｄａｒｃｈｉｔｅｃｔｕｒｅ）バスインターフェース２５を介して、ローカルバスインターフェース２８に接続されている。ローカルバスインターフェース２８には、ＣＰＵ２と接続しているＣＰＵインターフェース２７とメモリインターフェース２９とが接続されている。
【００１７】一方、各コントローラ２２〜２４は、バス切換え回路２０Ａ，２０Ｂにより設定されるバス信号線と接続しており、各バス信号線の中継部である入出力部２１を介して拡張コネクタ８に接続している。バス切換え回路２０Ａ，２０Ｂは、後述するように、拡張コネクタ８を介して入力される判別信号ＡＩに応じてバス信号線の切換え動作を行なう。入出力部２１と拡張コネクタ８とは拡張バス３１により接続されている。」
（第３頁右欄第４行−第４頁左欄第３０行）
　
（ニ）「【００２０】まず、ＰＣカードアダプタ１０が選択されて、コンピュータ本体１の拡張コネクタ８に接続されたと想定する。ＰＣカードアダプタ１０のＰＣカードコネクタ１０Ａには、各種機能毎のＰＣカードが接続される。
【００２１】Ｉ／Ｏコントローラ３では、ＰＣカードアダプタ１０からの判別信号（論理レベル“Ｈ”）ＡＩが拡張コネクタ８を介して入力されると、バス切換え回路２０Ａ，２０ＢはスイッチをＰＣカードコントローラ２２側に切換える。これにより、ＰＣカードコントローラ２２は、バス切換え回路２０Ａ，２０Ｂを介して、入出力部２１の入出力領域２１Ａ，２１Ｂに含まれるバス信号線に接続される。
【００２２】従って、ＰＣカードコントローラ２２は、拡張コネクタ８に接続されたＰＣカードアダプタ１０と、バス切換え回路２０Ａ，２０Ｂにより設定されたバス信号線を介してインターフェース信号の入出力制御を実行する。
【００２３】一方、Ｉ／Ｏアダプタ１１が選択されて、コンピュータ本体１の拡張コネクタ８に接続されたと想定する。ここで、前述したように、Ｉ／Ｏアダプタ１１とＰＣカードアダプタ１０の両方を接続することはできない。本実施形態では、Ｉ／Ｏアダプタ１１には、ＰＲＴコネクタ１１Ａとシリアル通信用コネクタ１１Ｂとが設けられている。
【００２４】Ｉ／Ｏコントローラ３では、Ｉ／Ｏアダプタ１１からの判別信号（論理レベル“Ｌ”）ＡＩが拡張コネクタ８を介して入力されると、バス切換え回路２０ＡはスイッチをＰＲＴコントローラ２３側に切換える。これにより、ＰＲＴコントローラ２３は、バス切換え回路２０Ａを介して、入出力部２１の入出力領域２１Ａに含まれるバス信号線に接続される。従って、ＰＲＴコントローラ２３は、拡張コネクタ８に接続されたＩ／Ｏアダプタ１１のＰＲＴコネクタ１１Ａと、バス切換え回路２０Ａにより設定されたバス信号線を介してインターフェース信号の入出力制御を実行する。
【００２５】一方、バス切換え回路２０Ｂはスイッチをシリアルコントローラ２４側に切換える。これにより、シリアルコントローラ２４は、バス切換え回路２０Ｂを介して、入出力部２１の入出力領域２１Ｂに含まれるバス信号線に接続される。従って、シリアルコントローラ２４は、拡張コネクタ８に接続されたＩ／Ｏアダプタ１１のシリアル通信用コネクタ１１Ｂと、バス切換え回路２０Ｂにより設定されたバス信号線を介してインターフェース信号の入出力制御を実行する。」
（第４頁右欄第３行−第４７行）
　
　引用例１の【００１４】段落の記載によれば、Ｉ／ＯアダプタのＰＲＴコネクタとシリアル通信用コネクタは、プリンタポートとシリアル通信用ポートに対応するものであるから、Ｉ／ＯアダプタはＰＣカードと異なる種類の外部機器との接続を行うものであることは自明である。
　
　したがって、引用例１には、
「拡張コネクタを備えたコンピュータシステムにおいて、
　前記拡張コネクタとＰＣカードアダプタを介してＰＣカードとの間でインターフェース信号の入出力を行うＰＣカードコントローラと、
　前記拡張コネクタとＩ／Ｏアダプタを介して前記ＰＣカードと異なる種類の外部機器との間でインターフェース信号の入出力を行なうＰＲＴコントローラと、
　前記拡張コネクタとＩ／Ｏアダプタを介して前記ＰＣカードと異なる種類の外部機器との間でインターフェース信号の入出力を行なうシリアルコントローラと、
　前記ＰＣカードアダプタ、及び前記Ｉ／Ｏアダプタの何れかが前記拡張コネクタに接続された際出力する判別信号に基づいて前記ＰＣカードアダプタ、及び前記Ｉ／Ｏアダプタの何れが前記拡張コネクタと接続されたか判別する判別手段と、
　前記判別手段がＰＣカードアダプタが接続されたと判断すれば、前記拡張コネクタを前記ＰＣカードコントローラと接続し、前記拡張コネクタ、及び、前記ＰＣカードアダプタを介して前記ＰＣカードと前記ＰＣカードコントローラとの間でインターフェース信号の入出力を行わせ、前記判別手段がＩ／Ｏアダプタが接続されたと判断すれば、該拡張コネクタ、及び、前記Ｉ／Ｏアダプタとを介して前記外部機器と前記ＰＲＴコントローラ及び前記シリアルコントローラとの間でインターフェース信号の入出力を行わせるよう接続するバス切換え手段と、
　を具備したことを特徴とするコンピュータシステム。」
の発明（以下「引用例１発明」という。）が開示されていると認めることができる。
　
　同じく、当審で通知した拒絶の理由に引用された特開平４−２１３７１５号公報（以下、引用例２という。）には、図面とともに以下の記載がある。
　
（ホ）「【００１５】本発明の課題は、以上の問題を解決し、実装スペースの限られた小型電子機器においても、ＩＣカードインターフェースを利用して、高速なデータ入出力を行なえるようにすることにある。
【００１６】
【課題を解決するための手段】以上の課題を解決するために、本発明においては、着脱自在のＩＣカードをＩＣカード接合部に接続し、接合部により電子機器本体のＣＰＵバスをＩＣカードと接続し、ＩＣカードを外部記憶装置として用いる電子機器において、電子機器本体のＩＣカード接合部に接続可能な接合部を有する疑似カード手段を有し、さらにこの疑似カード手段内に、電子機器と疑似カード手段の間のデータ入出力インターフェースと、所定の外部機器と疑似カード手段との間のデータ入出力インターフェースとを変換する制御手段を設け、前記疑似カード手段を介して電子機器本体と前記外部機器の間でデータ入出力を行なう構成を採用した。
【００１７】
【作用】以上の構成によれば、ＩＣカードコネクタと同一接合条件で接続された疑似カード手段を介して外部記憶機器などの外部機器との入出力を行なえる。
【００１８】
【実施例】以下、図面に示す実施例に基づき、本発明を詳細に説明する。以下では、従来例と同一ないし相当の部材には同一符号を付しその詳細な説明は省略する。
【００１９】本発明では、外部機器（フロッピーディスク、ハードディスク装置、半導体メモリなどの外部拡張記憶装置拡張ポート、他のコンピュータ、ワードプロセッサなどの機器、その他）を、ＩＣカードインターフェースを用いてデータ処理装置９０と接続する。
【００２０】図１に示すように、本発明を採用した電子機器では、ＩＣカード５０のかわりに疑似ＩＣカード１をＩＣカードスロットに差し込んで使用する。疑似ＩＣカード１は、疑似ＩＣカード部として構成され、データ処理装置９０のＣＰＵは、疑似ＩＣカード１に対して通常のＩＣカード５０と同じインターフェースに入出力を行なうことにより、外部機器１１に対する入出力が行なえる。
【００２１】疑似ＩＣカード１には、外部機器１１と入出力を行なうためのケーブル８を持ち、ケーブル８はコネクタ９、１０を介して外部機器１１と接続される。このような構成では、疑似ＩＣカード１および外部機器１１との間の入出力インターフェースは、データ処理装置９０側とは無関係にできるので、ＳＣＩＩインターフェースなど任意の手段により行なうことができる。
【００２２】以下では、外部機器１１はフロッピーディスク、ハードディスク装置、半導体メモリなどの外部拡張記憶装置などとし、ＩＣカードの容量を補い、データ処理装置９０からの見掛け上ＩＣカードの容量が大きくなったように扱う例を示す。
【００２３】図２においてデータ処理装置９０は、従来同様、表示部６８、電源部８４、キー入力部８６から構成されキー入力部の横にＩＣカードコネクタ６０を持つ。」
（第３頁左欄第４行−右欄第７行）
　
（ヘ）「【００２９】次に以上の構成における動作につき図４、図５を参照して説明する。図４はＣＰＵ６５によるデータ処理装置９０の制御手順を示している。
【００３０】図４のステップＳ１において電源が投入されると、ＣＰＵ６５はＲＯＭ８３に記憶されている本データ処理装置のオペレーティングシステムソフトウェアの実行を開始し、各内部ＩＣの機能チェックを開始する。
【００３１】次に、ステップＳ２において、ＩＣカードコネクタ部６０にＩＣカードが接続されているか（または疑似ＩＣカード）が接続されているか否かを自動判別するため、図５に示すようにＩＣカード５０ないし疑似ＩＣカード１の先頭アドレスに記憶されているディレクトリ管理データを読み込む。
【００３２】図５は、ＣＰＵ６５がファイルとしてＩＣカード５０ないし疑似ＩＣカード１を扱うための情報で、ＩＣカード５０ないし疑似ＩＣカード１のアドレス０〜４に記憶される。
【００３３】図示のようにＩＣカード５０か、疑似ＩＣカード１により、これらのアドレスには異なる種類のデータが記憶される。
【００３４】アドレス０には、ＩＣカード５０の種別ないしＩＣカード５０と疑似ＩＣカード１の区別を表す情報（デバイスがＲＡＭカードのとき０１（１６進数）、ＲＯＭカードのとき０２、疑似ＩＣカード１のときＦ０）が記憶される。
【００３５】以下、アドレス１〜４には、ＩＣカード５０の場合、登録ファイル数を示すワード（アドレス１、２に記憶）、第１ファイルの先頭アドレスを示すワード（アドレス３、４に記憶）が記憶される。その後のアドレスには必要なファイルアロケーション情報が記憶される。
【００３６】また、疑似ＩＣカード１の場合には、アドレス２〜３に、本体側のＲＯＭ８３に格納されている疑似ＩＣカード１にアクセスするためのデバイスドライバプログラムの先頭アドレスが記憶される。
【００３７】上記ステップＳ２では、アドレス０のデバイス種別を表すデータを読み、そのデータの種別がＩＣカードを示している場合は、ステップＳ３ないしＳ５に移行し、通常通りのＲＯＭ８３に書き込まれているＩＣカードコントロールドライバソフトをＲＡＭ８２にロードし、ＣＰＵ６５はＲＡＭ８２のプログラムを順に実行し、ＩＣカードコネクタ部への信号の与え方を制御し、ＩＣカード５０をＲＯＭカードとして、あるいはＲＡＭカードとして扱う。この動作は従来と同じである。
【００３８】一方、ステップＳ２で読み取ったディレクトリ管理データが疑似ＩＣカードを示していた場合は、ステップＳ４に移行し、疑似ＩＣカードコントロール用のデバイスドライバプログラムをＲＯＭ８３からＲＡＭ８２にロードし、その後、ステップＳ６〜Ｓ８のオペレーティングシステムの走行において、ＣＰＵ６５はＲＡＭ８２内のプログラムを順に実行し、ＩＣカードコネクタ部６０への信号を外部接続機器の種類に合わせた制御信号の与え方をするように変更する。
【００３９】疑似ＩＣカード１側では、データ処理装置９０のＣＰＵ６５との間でＣＰＵバスを用いた並列転送による高速な通信を行ない、外部機器制御回路４はこれに基づいて必要なデータ変換やインターフェース変換を行ない、外部機器１１との入出力を行なう。
【００４０】このように、データ処理装置９０のＩＣカード接続部を利用して、ＩＣカード部と形状、信号配置、特性を同一にした疑似ＩＣカード１を介して外部記憶拡張や外部機器制御に使用できるようになる。したがって、外部拡張用のコネクタ端子を装着するようなスペースがなく、ＩＣカードのスロットしか配置できないごく小型のデータ処理装置においても、データの外部機器とのやり取りをＣＰＵバスを用いた高速な並列データ転送により実現できる。」
（第３頁右欄第４８行−第４頁右欄第１５行）
　
　したがって、引用例２には、
「内部にＩＣカードコネクタが配設されたＩＣカードスロットを備えた電子機器において、ＩＣカードコネクタに接続されたカードがＩＣカードであるか、疑似ＩＣカードであるかを判別する判別手段を有し、判別手段の判別結果に応じてＩＣカードあるいは疑似ＩＣカードに応じた入出力処理を行うものであって、疑似ＩＣカードは電子機器本体と外部機器との間で入出力を行うようにした電子機器。」
の発明（以下「引用例２発明」という。）が開示されていると認めることができる。
　
４．対比
　そこで、本願発明と引用例１発明とを比較すると、引用例１発明における「コンピュータシステム」「インターフェース信号」「判別手段」及び「バス切換え手段」は、それぞれ本願発明の「情報処理装置」「信号」「種類判別手段」及び「接続切換手段」に相当する。
　引用例１発明の「ＰＣカードアダプタ」「Ｉ／Ｏアダプタ」及び本願発明の「ＰＣカード」「カード型アダプタ」は、情報処理装置に接続して、その機能を拡張する装置である点で共通しているので、これらを「拡張装置」と呼ぶことにする。
　引用例１発明の「拡張コネクタ」と本願発明の「コネクタ」とを対比すると、両者は情報処理装置に「拡張装置」を接続するための手段である点で共通しているので、両者を「接続手段」と呼ぶことにする。
　引用例１発明の「ＰＣカードコントローラ」は、ＰＣカードとの間で信号の入出力を行うものである点で、本願発明の「ＰＣカード信号入出力手段」に相当する。
　また、引用例１発明の「Ｉ／Ｏアダプタ」と本願発明の「カード型アダプタ」とは、接続手段に接続されるものであり、情報処理装置と、ＰＣカードと異なる種類の外部機器との間に介在する「アダプタ」である点で共通している。
　引用例１発明の「ＰＲＴコントローラ」及び「シリアルコントローラ」は、ＰＣカードと異なる種類の外部機器との間で信号の入出力を行うものである点で、本願発明の「外部機器信号入出力手段」に相当する。
　
　したがって、両者は
「接続手段を備えた情報処理装置において、
　前記接続手段を介してＰＣカードとの間で信号の入出力を行うＰＣカード信号入出力手段と、
　前記接続手段とアダプタを介して前記ＰＣカードと異なる種類の外部機器との間で信号の入出力を行う少なくとも一つの外部機器信号入出力手段と、
　拡張装置の何れが前記接続装置と接続されたか判別する種類判別手段と、
　前記種類判別手段が種類を判別した前記拡張装置の種類により前記接続手段を前記ＰＣカード信号入出力手段と接続し、前記接続手段を介して前記ＰＣカードと前記ＰＣカード信号入出力手段との間で信号の入出力を行わせ、前記種類判別手段が種類を判別した前記拡張装置がアダプタであれば該接続手段、および、前記アダプタとを介して前記外部機器と前記外部機器信号入出力手段との間で信号の入出力を行わせるよう接続する接続切換手段と、
　を具備したことを特徴とする情報処理装置。」
の点で一致し、以下の点で相違している。
　　
［相違点１］
　本願発明の接続手段は、ＰＣカードスロットの内部に配設されたコネクタであるのに対して、引用例１発明の接続手段は、情報処理装置に設けられた拡張コネクタである点。
　
［相違点２］
　本願発明の拡張装置は「ＰＣカード」及び「カード型アダプタ」であり、それらはＰＣカードスロットに挿入されるものであるのに対して、引用例１発明の拡張装置は「ＰＣカードアダプタ」及び「Ｉ／Ｏアダプタ」であり、ＰＣカードスロットに挿入されるものではない点。
　
［相違点３］
　ＰＣカードとＰＣカード信号入出力手段が信号の入出力を行う場合に、本願発明ではＰＣカードスロットのコネクタを介するのに対して、引用例１発明では拡張コネクタとＰＣカードアダプタとを介して行うものである点。
　
［相違点４］
　種類判別手段が拡張装置の何れが接続装置と接続されたか判別する際に、本願発明では、拡張装置がＰＣカードスロット内に挿入された際出力する出力信号に基づいて判別するのに対して、引用例１発明では、拡張装置が拡張コネクタに接続された際出力する判別信号に基づいて判別するものである点。
　
５．当審の判断
［相違点１］について
　ここで、本願発明と引用例２発明とを比較すると、引用例２発明における「ＩＣカードコネクタ」「ＩＣカードスロット」「電子機器」「ＩＣカード」「疑似ＩＣカード」及び「判別手段」は、それぞれ本願発明の「コネクタ」「ＰＣカードスロット」「情報処理装置」「ＰＣカード」「カード型アダプタ」及び「種類判別手段」に相当する。
　引用例２発明を本願発明の用語で表現すると、
「内部にコネクタが配設されたＰＣカードスロットを備えた情報処理装置において、コネクタに接続されたカードがＰＣカードであるか、カード型アダプタであるかを判別する種類判別手段を有し、種類判別手段の判別結果に応じてＰＣカードあるいはカード型アダプタに応じた入出力処理を行うものであって、カード型アダプタは情報処理と外部機器との間で入出力を行うようにした情報処理。」となる。
　引用例１発明と引用例２発明とは、情報処理装置のコネクタに拡張装置を接続するものであって、複数種類の拡張装置を接続可能としておき、接続された拡張装置の種類に応じた入出力を行うようにするという基本的な構成において共通しているものである。
　したがって、引用例１発明において、拡張装置を接続する接続手段を情報処理処理装置に設けられた拡張コネクタとすることに代えて、ＰＣカードスロットの内部に配設されたコネクタとすることは、基本的構成が共通する引用例１発明に引用例２発明を適用することにより、当業者が容易に想到し得たものと認められる。
　
［相違点２］について
　上記相違点１について検討したように、拡張装置を接続する接続手段をＰＣカードスロットの内部に配設されたコネクタとした場合に、引用例１発明の「Ｉ／Ｏアダプタ」は「カード型アダプタ」としてＰＣカードスロットに挿入されるように構成されることになる。また、ＰＣカードをＰＣカードスロットの内部に配設されたコネクタに接続する場合に「ＰＣカードアダプタ」が不要になることは当然であるので、相違点２に係る構成に困難性は認められない。
　
［相違点３］について
　上記相違点２について検討したように、ＰＣカードをＰＣカードスロットの内部に配設されたコネクタに接続する場合に「ＰＣカードアダプタ」が不要になることは当然であるから、相違点３に係る構成に困難性は認められない。
　
［相違点４］について
　本願発明において、出力信号が出力されるのは、拡張装置がＰＣカードスロット内に挿入された際であるが、これは、ＰＣカードスロットの内部に配設されたコネクタに、拡張装置が接続された際を意味するものであることは、当業者に自明の事項である。
　したがって、上記相違点１について検討したように、拡張装置を接続する接続手段をＰＣカードスロットの内部に配設されたコネクタとした場合に、引用例１発明の拡張装置が拡張コネクタに接続された際出力する判別信号に代えて、拡張装置がＰＣカードスロット内に挿入された際に出力される出力信号を用いるようにすることは、当業者が容易に想到し得たものと認められる。
　
　そして、本願発明の作用効果も、引用例１及び２発明から当業者が予測できる範囲のものである。
　　
６．むすび
　以上のとおり、本願発明は、引用例１及び２発明に基づいて、当業者が容易に発明をすることができたものであるから、特許法第２９条第２項の規定により特許を受けることができない。
　よって、結論のとおり審決する。